(57)【要約】      （修正有）【課題】光ディスク等の収納ケースの表面に梨地加工を施すことにより防眩効果を有しながら、記録媒体のラベル等の像の明瞭な目視が可能となる光ディスクの収納ケースを提供する。【解決手段】本発明は光ディスクの収納ケースの蓋体部分の記録媒体に対抗する面を梨地状とすることにより、梨地表現１１と記録媒体のレーベル面との間の距離を短くするものである。ケースの蓋体の光ディスク側の面に設けられた梨地表現による防眩効果により、光ディスク等のレーベル面に形成されているレーベル画像を柔らかな表現とする効果を持たせつつ、梨地表現と記録媒体のレーベル面との間の距離を短くすることにより、梨地表現によるレーベル面の画像のにじみを小さくし、レーベル面に描かれた文字画像等を鮮明な状態での目視が可能となる。【選択図】図１−１
2006282180.tif 000002
【特許請求の範囲】
【請求項１】
記録媒体を収納する収納部分と収納された該記録媒体に被さる蓋体部分とを有する記録媒体収納用ケースであって、
前記蓋体部分は透明な材質で構成されており、該蓋体部分の前記記録媒体から遠いほうの面の表面は平坦に形成されており、該蓋体部分の前記記録媒体から近いほうの面の表面は防眩効果を呈する梨地状に形成されていることを特徴とする記録媒体収納用ケース。
【請求項２】
収納された光ディスクの記録面を保護する収納部分と、前記ディスクを覆う蓋体部分とからなる光ディスク収納用ケースであって、
前記蓋体部分は透明な材質で構成されており、蓋体部分の前記光ディスクから遠いほうの面の表面は平坦に形成されており、該蓋体部分の前記光ディスクから近いほうの面の表面は防眩効果を呈する梨地状に形成されていることを特徴とする光ディスク収納用ケース。
【請求項３】
請求項２記載の光ディスク収納用ケースであって、
前記蓋体部分は前記収納部分に対して回転可能に構成されていることを特徴とする光ディスク収納用ケース。
【請求項４】
請求項２記載の光ディスク収納用ケースであって、
前記光ディスクがスロットイン動作により収納されることを特徴とする光ディスク収納用ケース。
【請求項５】
請求項２ないし４記載の光ディスク収納用ケースであって、
前記蓋体部分の梨地状の表面と前記記録媒体のレーベル面とは直接対向することを特徴とする光ディスク収納用ケース。
【発明の詳細な説明】
【技術分野】
【０００１】
本発明は、例えば光ディスクなどの記録媒体を収納するケースに関するものである。
【背景技術】
【０００２】
記録用のディスクあるいはカセットテープ等の記録媒体、及びこれら記録媒体の収納ケースにおいては、特開平９−１７１４４号公報に記載されるように、記録媒体あるいはケースを持った時の触感を向上させると共に、デザイン的な高級感を与え、印刷文字等の視認性を高めることを目的に、記録媒体あるいは収納ケースの表面に微細な凹凸を設け梨地表現とすることが行われている。また、特開昭５７−２０７２４８号公報に示されようにカートリッジの表面を梨地とし鉛筆等による筆記を可能とする技術が存在する。
【０００３】
第３図にカセットテープとケースの表面を梨地表現とした従来のカセットテープと収納ケースの概要が示されている。カセットテープ５０の表面の一部は梨地面５１とされている。またケース５５の上蓋５６の表面も梨地面４７とされている。これらの面を梨地表現とすることにより触感を向上させ、高級感を出すことが可能となっている。
【特許文献１】特開平９−１７１４４号公報
【特許文献２】特開昭５７−２０７２４８号公報
【発明の開示】
【発明が解決しようとする課題】
【０００４】
従来からカセットテープあるいは光ディスク等の記録媒体の表面には文字あるいは図柄等が描かれたラベルを添付する、あるいは文字図柄等を印刷することにより、記録媒体に記録されている内容を識別可能とすることが行われている。また、記録媒体を収納する収納ケースを透明な樹脂等で作成し、ケース内に収納させた記録媒体に添付されたラベルあるいは印刷を透明なケースを通して目視可能とすることが行われている。
【０００５】
ところで、光ディスクのレーベル面に文字あるいは画像を描く方法にレーザー光線を利用した方法がある。このレーベル面の作成技術に用いられる光ディスクのレーベル面は、保護層、感熱層、および反射層からなる。保護層を通して感熱層にレーザービームのエネルギーを集中させると感熱層が熱により透明化する。不透明は「黒」、透明は「白」となり、それらの中間階調によって画像を表現する。ここで、ビームを集中するためにはレーベル面と対物レンズとの距離を制御する必要がある。反射膜からの反射光を常にモニターして焦点位置の制御を行っている。
【０００６】
上記の方法で形成された画像を目視する際、反射膜からの光が直接目にはいると眩しく感じられる場合がある。これは画像のコントラストを上げてより鮮明な画像を形成するほど顕著になる。この対策としてレーベル面の表面に微細な凹凸を設けて梨地状にした梨地表現を形成して防眩効果を持たせることが考えられる。しかし、保護層の表面に梨地表現を形成すると、光の散乱効果によって焦点位置の制御が困難になるという不具合が発生する。この問題を解決するために、梨地表現を形成した保護層の上にもう一層透明な層を着脱可能に形成する方法が考えられる。この透明な層があるときは保護層の梨地表現とこの透明な層との融和により光の散乱を取り除くことが可能となる。画像を形成した後に、この透明な層を剥がし除去することにより保護層上の梨地表現を露出させ、梨地表現の散乱効果により柔らかな光の中に明瞭な画像を見ることが可能となる。しかしながら、この方法では光ディスクの表面に透明な層を余分に特殊な態様で設ける必要があり大きなコスト上昇を招くことになる。
【０００７】
前述したように、光ディスク等の記録媒体の表面に描かれた文字あるいは図柄等を目視可能とするため、記録媒体を収納する収納ケースを透明な材質で構成されている。従って、上記の眩しさに対する対策として、記録媒体の透明な収納ケースに梨地表現を形成することが考えられる。
【０００８】
梨地表現は光を乱反射させ、この乱反射により光を柔らかくし眩しさを防ぐ効果を有する。この効果は、梨地の微細な凹凸が透過する光を０次光、±１次光、・・・と分解し、多次元の光が目に入らなくする、即ち、直接光である０次光の量が減少され、分解された光同士が干渉効果など複数の効果により少なくなることにより防眩されるものである。
【０００９】
梨地表現により光を乱反射させ干渉させる効果により、梨地表現が施された蓋体を通して記録媒体のレーベル面を目視すると、レーベル面の画像がにじむことになり、このにじみによりレーベルに記載された文字等の読解が困難となる。このにじみは梨地表現により光が乱反射され干渉することによるものであるため、文字等か描画されたレーベル面に近いところに梨地表現を形成すれば干渉の少ない０次光をより多く得ることができ、鮮麗な像を目視することが可能となる。逆に、梨地表現とレーベル面の距離が大きくなると、光の干渉も大きくなり、レーベル面に描かれた画像のにじみも大きくなる。
【００１０】
前述したように、従来技術ではケースの外側の面に梨地表現を施すものである。光ディスク等の記録媒体を収納するケースの蓋体は１ミリ程度の厚さを有する透明材で作成されている。そのため、ケースに記録媒体を収納した際、収納された記録媒体のレーベル面から蓋体の外側表面に施された梨地表現までの距離は、記録媒体と蓋体間との距離に加え蓋の厚さが加わった距離となり、大きな値となる。従って、ケースの外部より梨地表現を介してレーベル面を目視したとき、レーベルに描かれている文字等のにじみは大きなものとなり、レーベルに記載された記憶媒体の内容に関する説明文等の読み取りが困難となる問題がある。
【課題を解決するための手段】
【００１１】
本発明は梨地表現を施すことにより防眩効果を有しながら、記録媒体のラベル等の像の明瞭な目視が可能となる光ディスク等の収納ケースを提供するものである。
本発明に係る光ディスク等の収納ケースは、光ディスク等の記録面を保護するように収納する収納部分と、収納された光ディスクを覆う蓋体部分を有している。前記蓋体部分は透明な材質で構成されており、前記蓋体部分の光ディスクから遠い方の面の表面は平面に形成されており、かつ、蓋体部分の光ディスクに近い方の面の表面は防眩効果を呈する梨地状に形成されている。
【発明の効果】
【００１２】
本発明に係る光ディスク収納ケースは、蓋体の光ディスクに対抗する面を梨地状とすることにより、梨地表現と光ディスクのレーベル面との間の距離を短くすることが可能となる。梨地表現による防眩効果により、光ディスクのレーベル面に形成されているレーベル画像を柔らかな表現とすると共に、梨地表現と光ディスクのレーベル面との間の距離を短くしたことにより、レーベル面を鮮明な画像で目視可能となる。
【発明を実施するための最良の形態】
【００１３】
光ディスクの収納部分と光ディスクに被さる蓋体部分からなる光ディスクの収納ケースにおいて、前記蓋体部分の光ディスクに近い面を防眩効果を有する梨地表現とすることにより、光ディスクのレーベル面を目視した際のにじみを小さくする。
【実施例１】
【００１４】
第１−１図及び第１−２図は本発明を硬質の透明樹脂で形成された上蓋を有するケースに適用した第１の形態を示す図である。第１−１図（ａ）はケースを開いた状態の上面図、（ｂ）は側面図、（ｃ）は第１図（ａ）のＡ−Ａ'での断面図である。当該形態のケースは透明な硬質樹脂により構成された蓋体部分１０と、光ディスク２０を固定収納する凹みである光ディスク固定部１３を有する収納部分１２とが回転軸１６により回転自在に結合されている。
【００１５】
透明な樹脂等により構成されている蓋体１０の内側の面、即ち光ディスク収納部１３に光ディスク２０を固定し、蓋体部分１０により収納部分１２を覆った際、蓋体部分１０の記録媒体に近い方の面の表面は防眩効果を呈する梨地表現１１が形成されている。第１−２図の（ｄ）はケースに光ディスクを収納した状態の断面を示すものである。ケースの収納部分１２に設けられている光ディスク固定部１３に光ディスク２０のレーベル面を上向きに固定し、蓋体部分１０を回転軸１６を中心に回転させ、光ディスク２０を覆う状態に蓋がされている。
【００１６】
第１−２図（ｄ）に示されるように、利用者は透明な蓋体部分１０の内面に設けられた梨地表現１１を介して光ディスク２０のレーベル面を目視することになり、レーベル面に形成されている文字画像等を柔らかな表現とすることが可能となる。また、ケースの収納部分１２に固定収納された光ディスク２０のレーベル面に対してケースの蓋体部分１０の内面に設けられた梨地表現１１は極めて近接した状態となる。従って、レーベル面に描かれた文字あるいは図柄が梨地表現により大きくにじむことはなく、利用者がレーベル面に描かれた文字図柄等を目視した時、それらの読取理解が困難となることはない。以上のように、本構成により、レーベル面に形成されている文字画像等を柔らかな表現としつつ、目視した際のにじみが少なく文字図柄等の認識が容易なケースとすることが可能となる。
【実施例２】
【００１７】
第２図は、平面状の収納部分２２と透明な蓋体部分２１を重ね、両者の間に光ディスク２０をスロットインすることが可能なように挿入口２３以外の周辺部の三方を固着し、蓋体部分２１と収納部分２２を一体化した光ディスクのケースに適用した例を示すものである。同構成の収納部分２２は例えば不織布で構成されている。また、蓋体部分２１は例えば柔軟性のある透明な樹脂により構成されており、蓋体部分２１の内側となる面には梨地表現２４が施されている。光ディスクは記録面が収納部分２２の側、レーベル面が蓋体部分２１の側となるように挿入口２３からスロットインされる。収納部分２２と蓋体部分２１の間に挿入された光ディスク２０のレーベル面は蓋体部分２１の内側に施された梨地表現とほぼ接触する状態で保持される。従って、利用者がケースに収納された光ディスクを目視した際、梨地表現２４による光ディスク２０のレーベル面のにじみは小さくなり、レーベル面の文字図柄等の認識は容易となる。
【産業上の利用可能性】
【００１８】
本発明は光ディスクの収納ケースの蓋体部分の記録媒体に対抗する面を梨地状とすることにより、梨地表現と記録媒体のレーベル面との間の距離を短くするものである。ケースの蓋体の光ディスク側の面に設けられた梨地表現による防眩効果により、光ディスク等のレーベル面に形成されている文字図柄等を柔らかな表現とする効果を持たせつつ、梨地表現と記録媒体のレーベル面との間の距離を短くすることにより、梨地表現によるレーベル面の画像のにじみを小さくし、レーベル面に描かれた文字画像等の鮮明な状態での目視が可能となる。
本発明はＣＤ、ＤＶＤ、ＨＤ−ＤＶＤ等の光ディスクのケースに適用可能である。また、光ディスクのみならずＭＤ等他の形式の記録媒体のカートリッジにも適用可能である。
【図面の簡単な説明】
【００１９】
【図１−１】本発明の第１の実施態様に係る光ディスクのケースを示す図
【図１−２】本発明の第１の実施態様に係る光ディスクのケースに光ディスクを収納した概要を示す図
【図２】本発明の第２の実施態様に係る光ディスクのケースを示す図
【図３】梨地表現を施した従来のカセットテープとケースの例を示す図
【図１−１】
2006282180.tif 000003
【図１−２】
2006282180.tif 000004
【図２】
2006282180.tif 000005
【図３】
2006282180.tif 000006